(57)【要約】【課題】点灯回路が故障した時のＬＥＤバックライトの輝度分布を、違和感の少ないものにすること。【解決手段】  複数のＬＥＤチップをひとつのパッケージに実装したマルチチップＬＥＤパッケージ（２−１ 〜 ２−８）と、該ＬＥＤチップを複数個直列に接続し同時に点灯する直列回路（４−Ａ−１ 〜 ４−Ｄ−１）とを備え、ひとつのマルチチップＬＥＤパッケージに、複数の直列回路を接続した。1つの直列回路が故障して、その回路上のＬＥＤが点灯しなくなったときでも、ひとつのマルチチップＬＥＤパッケージ内にあるＬＥＤが全て消えてしまうことはないので、バックライトのある部分が真っ暗になることはなくなる。【選択図】図１
2012129032.tif 000002
【特許請求の範囲】
【請求項１】
複数のＬＥＤチップをひとつのパッケージに実装したマルチチップＬＥＤパッケージと
、
前記ＬＥＤチップを複数個直列に接続し同時に点灯する直列回路とを備え、
ひとつの前記マルチチップＬＥＤパッケージに、複数の前記直列回路が接続されているこ
とを特徴とするＬＥＤバックライト。
【請求項２】
請求項１に記載のＬＥＤバックライトにおいて、
ひとつの前記直列回路が複数の前記マルチチップＬＥＤパッケージに接続されていること
を特徴とするＬＥＤバックライト。
【請求項３】
請求項１または請求項２に記載のＬＥＤバックライトにおいて、
ひとつの前記マルチチップＬＥＤパッケージに、ＬＥＤチップの数と同じ数の前記直列回
路が接続されていることを特徴とするＬＥＤバックライト。
【発明の詳細な説明】
【技術分野】
【０００１】
本発明は、ＬＥＤバックライトの技術分野に属する。
【背景技術】
【０００２】
従来では、液晶パネルの背面側の直下にＬＥＤを配列する直下型のＬＥＤバックライト
が提供されている。また、ＬＥＤを直列に接続した1つの回路が故障した場合に点灯しな
い領域が暗くなってしまうのを周囲のＬＥＤを明るくすることで補う技術がある。（例え
ば、特許文献１参照）。
【先行技術文献】
【特許文献】
【０００３】
【特許文献１】特開２００７−６７３１３号公報
【発明の概要】
【発明が解決しようとする課題】
【０００４】
しかしながら、特許文献１では、1つの回路が故障したときに点灯しない領域が連続し
て存在し、点灯しない状態では、その部分が暗くなってしまい表示に違和感を与えてしま
う。そこで点灯しなくなったＬＥＤを検出し、隣接するＬＥＤを明るくして補うため、制
御回路が複雑になってしまうという問題があった。
【０００５】
また、複数のＬＥＤを1つのパッケージに実装したマルチチップＬＥＤパッケージを用
いてバックライトの輝度を高くする方法がある。例えば、図７に示すマルチチップＬＥＤ
パッケージ内のＬＥＤを、図８に示す回路図のように接続し、図９の断面図のような構成
としたバックライトがある。
【０００６】
図７（ｂ）のような回路構成の４個のＬＥＤが図７（ａ）のように配置され、
ひとつのパッケージの輝度を高くすることができる。図９は、バックライトを横から見た
構成を示す。マルチチップＬＥＤは回路基板１１に実装され、放熱のためヒートシンクに
固定される。ＬＥＤから出た光はレンズ１３で方向をそろえられ、拡散板１４で拡散され
て、液晶パネル１５を裏側から照明する。
【０００７】
バックライトを上からみたときのＬＥＤの配置は図１０（ａ）のようになり、全体が点
灯しているときの輝度分布は、図１０（ｂ）のように均一になる。ところが、回路の１つ
が故障した場合、たとえば、図８の直列回路４−Ａ−０が点灯しなくなった場合は、図１
１（ａ）のようにＡを記したＬＥＤが点灯しなくなる。このときのバックライト全体の輝
度分布は図１１（ｂ）のようになり、左上に部分的にくっきりと暗い領域ができてしまう
。
【０００８】
図９の断面図に示すように、ＬＥＤと液晶パネル１５の間には、拡散手段１４を配置し
、横方向に光を拡散させてムラを減らすことを行う。ところが、非点灯のＬＥＤがあつま
ってしまうと暗くなる面積が広くなり、拡散手段でも補いきれない。このため、表示が部
分的に光量不足で見えなくなってしまい、違和感が発生するという問題点がある。
【０００９】
本発明は、このような従来技術の技術的課題に鑑みてなされたもので、直列回路の１つ
が故障したときに、違和感の少ない輝度分布を提供することを目的とする。
【課題を解決するための手段】
【００１０】
第１の発明は、
複数のＬＥＤチップをひとつのパッケージに実装したマルチチップＬＥＤパッケージと
、該ＬＥＤチップを複数個直列に接続し同時に点灯する直列回路とを備え、ひとつの前記
マルチチップＬＥＤパッケージに、複数の前記直列回路が接続されていることを特徴とす
るＬＥＤバックライトである。
【００１１】
第２の発明は、第１の発明において、ひとつの前記直列回路が複数の前記マルチチップ
ＬＥＤパッケージに接続されていることを特徴とするＬＥＤバックライトである。
【００１２】
第３の発明は、第１の発明または第２の発明において、ひとつの前記マルチチップＬＥ
Ｄパッケージに、ＬＥＤチップの数と同じ数の前記直列回路が接続されていることを特徴
とするＬＥＤバックライト。
【発明の効果】
【００１３】
よって、本発明によれば、ひとつの直列回路が故障してその直列回路に接続されている
ＬＥＤが全て点灯しなくなったとしても、マルチチップＬＥＤパッケージ上の全てのＬＥ
Ｄが同時に点灯しなくなることはなく、パッケージとして非点灯にはならないので、表示
が見えなくなってしまう領域ができることを防ぐという作用効果がある。
【図面の簡単な説明】
【００１４】
【図１】実施例１の回路である。
【図２】実施例１のＬＥＤ配置（ａ）と全点灯時の輝度分布（ｂ）である。
【図３】実施例１の故障時の非点灯ＬＥＤ配置（ａ）と輝度分布（ｂ）である。
【図４】実施例２の回路である。
【図５】実施例２のＬＥＤ配置（ａ）と全点灯時の輝度分布（ｂ）である。
【図６】実施例２の故障時の非点灯ＬＥＤ配置（ａ）と輝度分布（ｂ）である。
【図７】マルチチップＬＥＤパッケージのＬＥＤ配置（ａ）と端子配置（ｂ）である。
【図８】従来技術の回路である。
【図９】マルチチップＬＥＤパッケージを用いたＬＥＤバックライトの構造を表す断面図である。
【図１０】従来技術のＬＥＤ配置（ａ）と全点灯時の輝度分布（ｂ）である。
【図１１】従来技術の故障時の非点灯ＬＥＤ配置（ａ）と輝度分布（ｂ）である。
【発明を実施するための形態】
【００１５】
以下、本発明の照明装置の実施の形態を、請求項１と請求項２に係わる発明に対応する
実施例１と、請求項３に係わる発明に対応する実施例２とに基づいて説明する。
【実施例１】
【００１６】
まず、構成を説明する。
【００１７】
図１に、実施例１の回路図を示す。
【００１８】
実施例１のＬＥＤバックライトは、電源回路１、マルチチップＬＥＤパッケージ２−１
〜２−８、駆動回路３を備えている。
【００１９】
電源回路１は、直列回路４−Ａ−１〜４−Ｄ−１のそれぞれに電力を供給する。
【００２０】
駆動回路３は、図示しない制御回路からの制御信号を受け取り、直列回路４−Ａ−１〜
４−Ｄ−１のそれぞれに接続されたＬＥＤに流れる電流をＯＮ／ＯＦＦする。
【００２１】
マルチチップＬＥＤパッケージ２−１〜２−８中のＬＥＤは、それぞれ直列回路４−Ａ
−１〜４−Ｄ−１によって接続され、駆動回路３が直流回路に流れる電流をＯＮしたとき
に、点灯する。
【００２２】
作用を説明する。
【００２３】
図２（ａ）は、実施例１のＬＥＤ配置図である。ＬＥＤに振られたＡ〜Ｄは、それぞれ
どの直列回路に接続されているかを示しており、例えば、Ａと振られたＬＥＤは直列回路
４−Ａ−１に接続されている。マルチチップＬＥＤパッケージ２−１にある４個のＬＥＤ
は、直列回路４−Ａ−１に２個、直列回路４−Ｂ−１に２個、接続されている。
【００２４】
図２（ｂ）に、点灯状態での輝度分布を示す。全点灯状態では、バックライト全体の輝
度が一様になっていることがわかる。
【００２５】
次に、実施例１の接続で、直列回路のひとつが故障して点灯しなくなった場合を図３に示
す。たとえば、直列回路４−Ａ−１が故障した場合、図３（ａ）にあるように、Ａを振ら
れたＬＥＤが点灯しなくなる。そしてその時のバックライトの輝度分布が図３（ｂ）であ
る。下側半分に比べて、上側半分が暗くなる。  
【００２６】
次に、効果を説明する。
【００２７】
実施例１のＬＥＤバックライトにあっては、下記の効果を得ることができる。
【００２８】
(1) 従来技術図１１（ｂ）のように局所的にはっきりと暗くなるのではなく、図３（ｂ）
に示すように、上半分という広い範囲にわたって全体的に少しだけ暗くなる。このため、
暗くなった部分の表示が見えなくなるということがなくなり、違和感の少ない表示が得ら
れる。
（２）また、同時に点灯しなくなるＬＥＤが位置的に離れた場所に配置されるため、非点
灯により暗くなる領域が集中するのを防ぐことができ、違和感の少ない表示を得ることが
できる。
【実施例２】
【００２９】
実施例２は、ひとつのマルチチップＬＥＤパッケージに、ＬＥＤチップの数と同じ数の
直列回路が接続されている例である。
【００３０】
構成を説明する。
【００３１】
図４に実施例２の回路を示す。
【００３２】
直列回路は、各マルチチップＬＥＤパッケージの中のひとつのＬＥＤだけを直列に接続す
る。
【００３３】
マルチチップＬＥＤパッケージ２−１〜２−８中の４個のＬＥＤは、それぞれ直列回路
４−Ａ−２〜４−Ｄ−２によって接続され、駆動回路３が直流回路に流れる電流をＯＮし
たときに点灯する。
【００３４】
作用を説明する。
【００３５】
図５（ａ）は、実施例１のＬＥＤ配置図である。ＬＥＤに振られたＡ〜Ｄは、それぞれ
どの直列回路に接続されているかを示しており、例えば、Ａと振られたＬＥＤは直列回路
４−Ａ−１に接続されている。マルチチップＬＥＤパッケージ２−１にある４個のＬＥＤ
は、直列回路４−Ａ−２に１個、直列回路４−Ｂ−２に１個、直列回路４−Ｃ−２に１個
、直列回路４−Ｄ−２に１個、接続されている。
【００３６】
図５（ｂ）に、点灯状態での輝度分布を示す。全点灯状態では、バックライト全体の輝
度が一様になっていることがわかる。
【００３７】
次に、実施例１の接続で、直列回路のひとつが故障して点灯しなくなった場合を図６に示
す。たとえば、直列回路４−Ａ−２が故障した場合、図６（ａ）にあるように、Ａを振ら
れたＬＥＤが点灯しなくなる。そしてその時のバックライトの輝度分布が図６（ｂ）であ
る。各マルチチップＬＥＤパッケージの中のひとつのＬＥＤが非点灯になるため、全体的
に明るさが落ちる。
【００３８】
効果を説明する。
【００３９】
実施例２のＬＥＤバックライトにあっては、上記（１）（２）に加えて、以下の効果を有
する。
【００４０】
（３）ひとつの直列回路が故障した場合に、ひとつのマルチチップＬＥＤパッケージの中
で非点灯となるＬＥＤはひとつだけであるため、非点灯のＬＥＤをより広い範囲に広げて
配置することができ、さらに違和感の少ない表示を得ることができる。
【符号の説明】
【００４１】
１     電源回路
２−１ 〜 ２−８   マルチチップＬＥＤパッケージ
３     駆動回路
４−Ａ−０ 〜 ４−Ｄ−２   直列回路
１１   回路基板
１２   ヒートシンク
１３   レンズ
１４   拡散手段
１５   液晶パネル
【図１】
2012129032.tif 000003
【図２】
2012129032.tif 000004
【図３】
2012129032.tif 000005
【図４】
2012129032.tif 000006
【図５】
2012129032.tif 000007
【図６】
2012129032.tif 000008
【図７】
2012129032.tif 000009
【図８】
2012129032.tif 000010
【図９】
2012129032.tif 000011
【図１０】
2012129032.tif 000012
【図１１】
2012129032.tif 000013